(57)【要約】【課題】ダミーパターンによるアンテナ特性への影響が抑制された電子機器及びフレキシブルプリント基板を提供することを課題とする。【解決手段】本実施例の携帯電話は、プリント基板３０、４０と、プリント基板３０、４０を接続するフレキシブルプリント基板５０と、を備え、フレキシブルプリント基板５０は、プリント基板３０、４０を電気的に接続する配線パターン群５３、プリント基板３０、４０を放射素子として作動させるためにプリント基板３０、４０に給電する給電パターン５５、給電パターン５５と接続した接続部５７Ｐを複数有したダミーパターン５７、を有し、隣接する接続部５７Ｐの間でのダミーパターン５７の長さは、使用周波の波長の４分の１以下である。【選択図】図２
2010278921.tif 000002
【特許請求の範囲】
【請求項１】
第１及び第２電子ユニットと、
前記第１及び第２電子ユニットを接続するフレキシブルプリント基板と、を備え、
前記フレキシブルプリント基板は、前記第１及び第２電子ユニットを電気的に接続する配線パターン、前記第１及び第２電子ユニットを放射素子として作動させるために前記第１及び第２電子ユニットに給電する給電パターン、前記給電パターンと接続した接続部を複数有したダミーパターン、を有し、
隣接する前記接続部の間での前記ダミーパターンの長さは、使用周波の波長の４分の１以下である、電子機器。
【請求項２】
複数の電子ユニットを電気的に接続する配線パターンと、
前記複数の電子ユニットをダイポールアンテナの放射素子として作動させるために前記第１及び第２電子ユニットに給電する給電パターンと、
前記給電パターンと接続した接続部を複数有したダミーパターンと、を備え、
隣接する前記接続部の間での前記ダミーパターンの長さは、使用周波の波長の４分の１以下である、フレキシブルプリント基板。
【発明の詳細な説明】
【技術分野】
【０００１】
本発明は電子機器及びフレキシブルプリント基板に関する。
【背景技術】
【０００２】
第１及び第２プリント基板を接続するフレキシブルプリント基板に、給電パターンを設けて第１及び第２プリント基板をダイポールアンテナの放射素子として動作させる技術がある。関連技術が特許文献１に開示されている。
【０００３】
フレキシブルプリント基板に配線パターンとダミーパターンとを設けることにより、配線パターンの断線を防止する技術がある。関連技術が特許文献２に開示されている。
【先行技術文献】
【特許文献】
【０００４】
【特許文献１】特開２００７−８９１２３号公報
【特許文献２】特開２００５−２８５９７９号公報
【発明の概要】
【発明が解決しようとする課題】
【０００５】
フレキシブルプリント基板に給電パターンとダミーパターンとを設けると、ダミーパターンがアンテナ特性に影響を与える恐れがある。
【０００６】
本発明は、ダミーパターンによるアンテナ特性への影響が抑制された電子機器及びフレキシブルプリント基板を提供することを目的とする。
【課題を解決するための手段】
【０００７】
本明細書に開示の電子機器は、第１及び第２電子ユニットと、前記第１及び第２電子ユニットを接続するフレキシブルプリント基板と、を備え、前記フレキシブルプリント基板は、前記第１及び第２電子ユニットを電気的に接続する配線パターン、前記第１及び第２電子ユニットを放射素子として作動させるために前記第１及び第２電子ユニットに給電する給電パターン、前記給電パターンと接続した接続部を複数有したダミーパターン、を有し、隣接する前記接続部の間での前記ダミーパターンの長さは、使用周波の波長の４分の１以下である。
【０００８】
本明細書に開示のフレキシブルプリント基板は、複数の電子ユニットを電気的に接続する配線パターンと、前記複数の電子ユニットをダイポールアンテナの放射素子として作動させるために前記第１及び第２電子ユニットに給電する給電パターンと、前記給電パターンと接続した接続部を複数有したダミーパターンと、を備え、隣接する前記接続部の間での前記ダミーパターンの長さは、使用周波の波長の４分の１以下である。
【発明の効果】
【０００９】
ダミーパターンによるアンテナ特性への影響が抑制された電子機器及びフレキシブルプリント基板を提供できる。
【図面の簡単な説明】
【００１０】
【図１】図１Ａは、本実施例の携帯電話の説明図、図１Ｂは、本実施例の携帯電話の機能の説明図。
【図２】図２Ａは、フレキシブルプリント基板の説明図、図２Ｂは、フレキシブルプリント基板の一部分の拡大図。
【図３】図３Ａは、変形例に係るフレキシブルプリント基板の説明図、図３Ｂは、変形例に係るフレキシブルプリント基板の一部分の拡大図。
【発明を実施するための形態】
【００１１】
携帯電話を電子機器の一例として説明する。
図１Ａは、本実施例の携帯電話の説明図である。
携帯電話は、筐体１０、２０を有している。筐体１０、２０は合成樹脂製である。筐体１０、２０は、それぞれヒンジ部１２、２２を有している。ヒンジ部１２、２２は互いに回転可能に連結されている。これにより、筐体１０、２０は開閉可能に連結される。筐体１０、２０内には、それぞれプリント基板３０、４０が収納されている。プリント基板３０、４０は、硬質のプリント基板である。尚、筐体１０の外面には不図示の操作キーが設けられており、筐体２０には不図示のディスプレイユニットが設けられている。プリント基板３０、４０には、本携帯電話の機能を実現するための電子部品が実装されている。筐体１０及びプリント基板３０は、電子ユニットに相当する。同様に、筐体２０及びプリント基板４０も電子ユニットに相当する。
【００１２】
プリント基板３０、４０は、フレキシブルプリント基板５０により電気的に接続されている。フレキシブルプリント基板５０は可撓性を有している。フレキシブルプリント基板５０の端部にはそれぞれプリント基板６０、７０が接続されている。プリント基板６０、７０は、それぞれプリント基板４０、３０と電気的に接続されている。フレキシブルプリント基板５０は、ヒンジ部１２、２２内を通過するようにして、プリント基板３０、４０とを接続している。フレキシブルプリント基板５０は、ヒンジ部１２、２２内で巻かれた状態にある。本実施例の携帯電話は、プリント基板３０、４０がダイポールアンテナの放射素子として機能する。図１Ａにおいてはフレキシブルプリント基板５０、プリント基板６０、７０を実線で示している。
【００１３】
図１Ｂは、本実施例の携帯電話の機能の説明図である。
プリント基板３０は、プリント基板３０、４０に電圧を印加する給電部３５を有している。給電部３５は、プリント基板３０に設けられた不図示の無線回路と接続されている。無線回路は、送信信号及び受信信号に対して信号処理を行うものであり、筐体１０に内蔵された不図示のバッテリーから電力が供給されている。プリント基板４０への電力の供給は、フレキシブルプリント基板５０に設けられた配線パターン郡５３を介して行われる。給電パターン５５は、プリント基板３０のグランドパターンと接続されている。同様に、給電パターン５５は、プリント基板４０のグランドパターンと接続されている。
【００１４】
プリント基板４０は、アンテナマッチング回路４５を有している。アンテナマッチング回路４５は、可変容量ダイオード及びインダクタを含む。アンテナマッチング回路４５は、ダイポールアンテナの放射素子として機能するプリント基板３０、４０のインピーダンス整合を行う。
【００１５】
筐体２０内には、板金８０が収納されている。板金８０は金属製である。板金８０は、ディスプレイユニットの背面側に配置されてディスプレイユニットを支持する。板金８０は、接続部８４を介してプリント基板４０のグランドパターンと接続されている。板金８０がプリント基板４０のグランドパターンと接続されていることにより、プリント基板４０及び板金８０と、プリント基板３０とが、一対の放射素子として機能する。
【００１６】
図２Ａは、フレキシブルプリント基板５０の説明図である。
図２Ａでは、フレキシブルプリント基板５０のみならずプリント基板６０、７０も示している。図２Ａは、平坦な状態のフレキシブルプリント基板５０を示している。フレキシブルプリント基板５０は、基体５１、基体５１に設けられた配線パターン群５３、給電パターン５５、ダミーパターン５７、を有している。基体５１は、ポリイミド樹脂によりフィルム状に設けられている。配線パターン群５３、給電パターン５５、ダミーパターン５７は、銅箔により形成されている。基体５１は、複数の層を有しており、配線パターン群５３と、給電パターン５５、ダミーパターン５７とは異なる層に設けられている。給電パターン５５とダミーパターン５７とは同一の層に設けられている。
【００１７】
プリント基板６０には、プリント基板４０と電気的に接続するための接点部６２が設けられている。同様に、プリント基板７０には、プリント基板３０と電気的に接続するための接点部７２が設けられている。配線パターン群５３は、プリント基板６０、７０にそれぞれ設けられた配線パターン６３、７３と導通している。また、給電パターン５５は、プリント基板６０、７０にそれぞれ設けられた給電パターン６５、７５と導通している。プリント基板６０には、給電パターン６５とプリント基板４０とを電気的に接続するための接点部６５１が設けられている。同様に、プリント基板７０には、給電パターン７５とプリント基板３０とを電気的に接続するための接点部７５１が設けられている。
【００１８】
ダミーパターン５７は、基体５１の一方の縁に沿うように設けられている。換言すれば、ダミーパターン５７は基体５１の外側に設けられている。ダミーパターン５７は、配線パターン群５３とは電気的に接続されていない。ダミーパターン５７は、給電パターン５５と接続された複数の接続部５７Ｐを有している。接続部５７Ｐは、略均等の間隔で設けられている。ダミーパターン５７が設けられているので、給電パターン５５、配線パターン群５３の断線を防止することができる。配線パターン群５３は、基体５１の他方の縁に沿うように設けられている。給電パターン５５は、配線パターン群５３とダミーパターン５７との間に設けられている。
【００１９】
図２Ｂは、フレキシブルプリント基板５０の一部分の拡大図である。図２Ｂに示すように、隣接する接続部５７Ｐ間でのダミーパターン５７の長さＤは、使用周波の波長の４分の１以下である。図２Ｂに示した以外の部分での接続部５７Ｐ間でのダミーパターン５７の長さも、同様である。
【００２０】
これにより、ダミーパターン５７によるアンテナ特性への影響を抑制することができる。例えば、ダミーパターンが給電パターン５５と接続されないように設けられた場合、ダミーパターンが使用周波数帯で共振してアンテナ共振周波数が変化し、アンテナ特性に影響を与える恐れがある。しかしながら、本実施例では、ダミーパターン５７を給電パターン５５と複数の箇所で接続し、隣接した接続部間でのダミーパターン５７の長さが波長の４分の１以下である。これにより、ダミーパターン５７によるアンテナ特性への影響を抑制できる。以上により、断線を防止しつつダミーパターン５７によるアンテナ特性への影響を抑制できる。
【００２１】
次に、フレキシブルプリント基板の変形例について説明する。
図３Ａは、変形例に係るフレキシブルプリント基板５０ａの説明図である。図３Ａに示すように、ダミーパターン５７ａは、基体５１の一部分にのみ設けられている。ダミーパターン５７ａは、フレキシブルプリント基板５０ａを平坦にした状態で、基体５１の曲がった部分に設けられている。
【００２２】
図３Ｂは、変形例に係るフレキシブルプリント基板５０ａの一部分の拡大図である。図３Ｂに示すように、接続部５７Ｐ間でのダミーパターン５７ａの長さＤは、使用周波の波長の４分の１以下である。このような構造によっても、ダミーパターン５７ａにより給電パターン５５ａ、配線パターン群５３の断線を防止すると共に、ダミーパターン５７ａによるアンテナ特性への影響を抑制できる。
【００２３】
尚、ダミーパターン５７ａは、基体５１に亀裂が入りこみやすい箇所に設けられている。ダミーパターン５７ａを設ける部分は、図３Ａ、Ｂに示した部分に限定されない。ダミーパターンは、例えばフレキシブルプリント基板の撓んだ部分や、折り曲げられた部分に設けてもよい。
【００２４】
以上本発明の好ましい一実施形態について詳述したが、本発明は係る特定の実施形態に限定されるものではなく、特許請求の範囲に記載された本発明の要旨の範囲内において、種々の変形・変更が可能である。
【００２５】
電子機器としては、携帯電話に限定されない。例えば、電子機器は、ＰＤＡやノートパソコンであってもよい。電子機器は、携帯型の機器であっても、据え置き型の機器であってもよい。
【００２６】
プリント基板を介さず、例えば、筐体１０、２０を一対の放射素子として用いてもよい。例えば筺体１０、２０に給電パターン５７に接続される金属膜を形成し、筐体１０、２０を一対の放射素子として作動させてもよい。また、筐体２０に金属膜を設けて、筐体２０とプリント基板３０とに給電することにより一対の放射素子として作動させてもよい。また、筐体１０に金属膜を設けて、筐体１０とプリント基板４０とに給電することにより一対の放射素子として作動させてもよい。
【符号の説明】
【００２７】
１０、２０  筐体
３０、４０  プリント基板
５０  フレキシブルプリント基板
５３  配線パターン群
５５  給電パターン
５７、５７ａ  ダミーパターン
５７Ｐ  接続部
【図１】
2010278921.tif 000003
【図２】
2010278921.tif 000004
【図３】
2010278921.tif 000005